(57)【要約】【課題】  光源となるＬＥＤを指針部の基端部近傍に直接配置することによって、導光部材を使用することなく、指針部を効率よく照明すると共に、部品点数の削減及び消費電力の低減化を図った照光式アナログ時計を提供することである。【解決手段】  時計ユニット２２と、この時計ユニット２２上に載置されるアナログ表示の文字盤２３と、この文字盤２３の中心部を中心に回転する一または二以上の指針部２４と、この指針部２４を照明する照明部３０とを備えた照光式アナログ時計２１において、前記照明部３０を前記指針部２４の基端部２５ａ，２６ａの近傍に設けた。【選択図】      図１
2006300787.tif 000002
【特許請求の範囲】
【請求項１】
時計ユニットと、この時計ユニット上に載置されるアナログ表示の文字盤と、この文字盤の中心部を中心にして回転する一または二以上の指針部と、この指針部を照明する照明部とを備えた照光式アナログ時計において、
前記照明部が、前記指針部の基端部近傍に設けられることを特徴とする照光式アナログ時計。
【請求項２】
前記照明部が、前記時計ユニットから前記文字盤の中心部に向けて立設する柱部の先端部に設けられている請求項１記載の照光式アナログ時計。
【請求項３】
前記照明部が、前記文字盤面よりわずかに突出した前記柱部の先端部に載置されている請求項２記載の照光式アナログ時計。
【請求項４】
前記照明部は、発光ダイオードと、この発光ダイオードから発せられる光を前記指針部の基端部から放射状に出射させるための略半球状の封止体とを備えて構成される請求項１記載の照光式アナログ時計。
【請求項５】
前記指針部は、基端部とこの基端部から前記文字盤の外周部に向けて延びる指示部とを有した導光部材によって形成される請求項１記載の照光式アナログ時計。
【請求項６】
前記指針部には、前記照明部から出射される光を前記指示部の先端部に向けさせるための光屈折部が設けられる請求項１または５記載の照光式アナログ時計。
【発明の詳細な説明】
【技術分野】
【０００１】
本発明は、照明機能を備えた照光式アナログ時計に関するものである。
【背景技術】
【０００２】
従来、目覚まし時計のような比較的低価格の照光式アナログ時計にあっては、夜間や暗闇の中でも時刻確認がしやすいように、文字盤や指針部に蓄光物質を設けているものが多いが、このような蓄光物質は、時間の経過と共に輝度が低下するといった欠点がある。一方、自動車のダッシュボード等に組み込まれるような時計にあっては、周囲が暗くなった場合、ヘッドライトと同時に点灯させる必要があるため、文字盤や指針部を照らすための光源が備えられている。このような光源としては、発光ダイオード（ＬＥＤ）が多く用いられ、文字盤の背面に直接配置させたり、導光板を介して照明が必要な箇所に集中的に導光させたりする方式がある。図６は、前記ＬＥＤと導光板を用い、指針部を中心にして照明させるように構成された照光式アナログ時計１を示したものである（特許文献１参照）。
【０００３】
前記照光式アナログ時計１は、時計ユニット２が配設される基板３の外周部上に光源となる発光ダイオード（ＬＥＤ）４を複数配置し、このＬＥＤ４から発せられる光を断面コ字状の導光部材５によって、文字盤６の下面から指針部８が取り付けられる回転軸７に沿って導光させる構造となっている。また、前記各ＬＥＤ４から発せられる光を前記回転軸７近辺に導光させるため、回転軸７が貫通する孔部９近辺に傾斜部１０を設け、下方から導光されてくる光を前記回転軸７に沿って上昇させるようにしている。
【特許文献１】特開２０００−２９２５５８号公報
【発明の開示】
【発明が解決しようとする課題】
【０００４】
しかしながら、上記図６に示したような照光式アナログ時計１にあっては、指針部８を照明するＬＥＤ４が文字盤６の外周部に配置され、導光部材５を介して回転軸７近辺に導光させるような構造となっているため、回転軸７に至るまでに光が弱まり、指針部８を照明するだけの十分な光量が得られなくなるといった問題がある。
【０００５】
また、前記ＬＥＤ４から指針部８の中心軸近辺に光を効率よく導光させるためには、前記導光部材５の角部を曲面形状にしたり、内部に反射用の傾斜部１０を設けたりする必要があり、導光部材５の構造が複雑となってしまう。また、前記導光部材５に取り込む光量を多くするためには、ＬＥＤ４を前記基板３の外周部に沿って複数均等に配置しなければならない。このため、消費電力が多くなると共に、部品点数の増加によって、製品コストが高くなるといった問題も有している。
【０００６】
そこで、本発明の目的は、光源となるＬＥＤを指針部の基端部近傍に直接配置することによって、導光部材を使用することなく、指針部を効率よく照明すると共に、部品点数の削減及び消費電力の低減化を図った照光式アナログ時計を提供することである。
【課題を解決するための手段】
【０００７】
上記課題を解決するために、本発明の照光式アナログ時計は、時計ユニットと、この時計ユニット上に載置されるアナログ表示の文字盤と、この文字盤の中心部を中心にして回転する一または二以上の指針部と、この指針部を照明する照明部とを備えた照光式アナログ時計において、前記照明部が前記指針部の基端部近傍に設けられることを特徴とする。
【発明の効果】
【０００８】
本発明に係る照光式アナログ時計によれば、照明部を指針部の回転中心となる基端部近傍に設けているので、前記照明部から出射する光によって前記指針部全体を直接照明することができる。これによって、単一の光源で文字盤上を回転する指針部を均等に照明することができ、ヘッドライトの点灯と同時に照明させる車載用のアナログ時計や、夜間や暗闇の中で長時間照明させたりするような用途に使用されるアナログ時計に適した照明効果が得られる。
【０００９】
また、前記照明部が光源に発光ダイオードを用い、この発光ダイオードが時計ユニットから文字盤の中心部に向けて立設する柱部の先端部に設けられているので、前記指針部を直接照明させる高さ位置に容易に合わせることができる。
【発明を実施するための最良の形態】
【００１０】
以下、添付図面に基づいて本発明に係る照光式アナログ時計の実施形態を詳細に説明する。
【００１１】
本発明の照光式アナログ時計２１は、図１に示すように、機械式の時計ユニット２２と、この時計ユニット２２上に載置される文字盤２３と、この文字盤２３上を回転する分針２５及び時針２６からなる指針部２４と、この指針部２４の基端部から指針部２４全体を照明する照明部３０とを備えて構成されている。
【００１２】
前記時計ユニット２２は、分針２５や時針２６を回転させるためのシャフトや歯車等で構成される機構部やこの機構部を駆動させる電気部品及び電気回路で構成され、ケース３８内に収容されている。この時計ユニット２２の中心部には、照明部３０を配置するための柱部３１が貫通して設けられている。この時計ユニット２２や柱部３１は、マザーボード３９上に設置される。
【００１３】
前記柱部３１は、プラスチックや金属材料によって形成された中空状の円筒体であり、その先端が前記時計ユニット２２の上面に突出するように設けられる。照明部３０は、図２に示すように、前記柱部３１の上端部に基板を介して実装される発光ダイオード（ＬＥＤ）３３と、このＬＥＤ３３の上方を覆う透明な封止体３４とで構成されている。前記ＬＥＤ３３は、アノード電極及びカソード電極を備えた発光素子であり、前記基板の電極パターン上にダイボンドした後、ワイヤボンドすることによって実装されている。前記ＬＥＤ３３には、時計ユニット２２から供給される電圧を供給するための信号線が前記柱部３１の中空部を通して設けられる。封止体３４は、透明なアクリル樹脂やポリカーボネート樹脂からなり、前記ＬＥＤ３３上に半球状に充填して成形されるか、前記ＬＥＤ３３に装着可能な形のキャップ体として成形される。この封止体３４を半球状に形成することで、前記ＬＥＤ３３から光が放射状に出射され、前記指針部２４を均等に照明することができる。なお、前記封止体３４を円錐形状や四角形状、あるいは、多角形状にすることによって、前記ＬＥＤ３３からの発光方向や発光強度を変化させることもできる。
【００１４】
前記指針部２４は、前記柱部３１を中心として回転する分針駆動軸３５ａと、時針駆動軸３６ａとによって支持されている。前記分針駆動軸３５ａは、前記柱部３１の外周部に沿って設けられ、時針駆動軸３６ａは、前記分針駆動軸３５ａの外周に沿って回転可能に配設されている。前記分針駆動軸３５ａ及び時針駆動軸３６ａには、それぞれ所定の回転比になるように設定された分針駆動歯車３５ｂ及び時針駆動歯車３６ｂが連結されており、この分針駆動歯車３５ｂ及び時針駆動歯車３６ｂは、前記時計ユニット２２内に設置されている電磁コイル３７ａ、ロータ３７ｂによって回転駆動される。
【００１５】
指針部２４は、図１乃至図３に示されるように、アクリル樹脂やポリカーボネート樹脂等の導光部材によって形成された分針２５と時針２６とで構成されている。この分針２５及び時針２６は、前記分針駆動軸３５ａ、時針駆動軸３６ａに連動するように取り付けられる基端部２５ａ，２６ａと、この基端部２５ａ，２６ａから文字盤２３の外周部に向けて延びる板状の指示部２５ｂ，２６ｂとで一体に形成されている。前記分針２５の基端部２５ａには、前記照明部３０を収容するための略半球状に凹設された凹部２５ｃが設けられ、この凹部２５ｃの内周面に入射された光を前記指示部２５ｂに向けて導光される。また、前記凹部２５ｃに入射された光は、時針２６の基端部２６ａを介して指示部２６ｂにも導光される。前記指示部２５ｂ，２６ｂは、それぞれ先端部が文字盤２３の外周部に向けて鋭角状に形成され、厚みが次第に薄くなるように形成されている。また、前記分針２５の基端部２５ａには、前記指示部２５ｂの先端に向けて傾斜させた光屈折部２７が形成されている。この光屈折部２７は、前記照明部３０から上方に出射される光を指示部２５ｂが延びる方向に導かせるために設けられているもので、略直角方向に光の進路を変更させるように、略４５度前後の傾きに設定される。また、前記光屈折部２７の外面に光反射率の高い金属膜を内側に向けて配設することで、前記照明部３０から出射される光が上方に抜けるのを防止し、その分、前記指示部２５ｂが指し示す方向に対する導光量をアップさせることができる。
【００１６】
また、前記指針部２４を反射率の高い金属部材で形成した場合は、前記照明部３０から出射される光の反射作用によって、指針部２４全体を明るくして視認性を高めることができる。
【００１７】
前記照明部３０には、前記柱部３１の中空部を通るアノード及びカソードからなる信号線によってマザーボード３９から電気信号を供給させているが、図４に示すように、柱部４１の外面を長手方向に延びる細長いフレキシブル基板４５を介して、照明部４０に電気信号を供給させるようにすることもできる。前記フレキシブル基板４５には、前記柱部４１の上端面に載置される箇所にＬＥＤ４３を実装するためのアノード及びカソードからなる一対の電極部が設けられ、この電極部からマザーボード３９側にそれぞれ延びる電極パターンが形成されている。このようなフレキシブル基板４５を用いることによって、前記柱部３１のような中空状の部材に限らず、棒状や円柱状の支柱による柱部４１によって形成することができる。
【００１８】
また、図５に示す照明部５０のように、アノード電極及びカソード電極からなる一対のリード線５４が備えられた砲弾型のＬＥＤ５３を直接柱部５１の上端部に配設することもできる。前記柱部５１は、中空状となっているため、中空部に前記リード線５４を通してマザーボード３９側に接続させることができる。
【００１９】
また、上記示した実施形態の照明部は、指針部２４における照明効果に応じて、例えば、白色や赤色等の各発光色のＬＥＤ、または、赤青緑からなる発光素子で構成された多色発光型のＬＥＤで構成することができる。
【００２０】
また、前記文字盤２３は、図３に示したように、外周部に数字や記号等の時刻表示が施された円盤状の薄板部材あるいはシート部材で形成され、中心部に前記柱部３１を通す円形状の孔部が設けられている。この文字盤２３は、前記時計ユニット２２を収容したケース３８の上面に前記孔部から柱部３１の先端部を突出させた状態で載置される。
【００２１】
次に、前記照明部３０による照光式アナログ時計２１の照明作用を図２及び図３に基づいて説明する。前記照明部３０は、マザーボード３９からの電圧の印加によって発光する。この発光の操作は、前記時計ユニット２２が組み込まれる図示しない時計本体に設けられる照明スイッチをＯＮにすることによって行われる。また、前記時計ユニット２２が自動車のダッシュボードに組み込んで使用される場合は、前記マザーボード３９がダッシュボード内の計器類や操作パネル等が組み込まれるボード類に接続され、ヘッドライトの点灯、消灯操作に連動してＯＮまたはＯＦＦとなる。このような操作によって、前記照明部３０から発せられた光は、前記文字盤２３の中心部から垂直方向及び水平方向に向かって放射状に出射し、前記分針２５及び時針２６のそれぞれの基端部２５ａ，２６ａから指示部２５ｂ，２６ｂに向けて導光される。また、前記分針２５の基端部２５ａの上面には傾斜面やこの傾斜面に反射部材を備えた光屈折部２７が設けられているので、前記照明部３０から真上に出射される光を外部に漏らすことなく、前記分針２５及び時針２６のそれぞれの指示部２５ｂ，２６ｂの先端部に向けて導光させることができる。
【００２２】
以上、説明したように、本発明の照光式アナログ時計２１に備わる照明部３０によれば、指針部２４の回転中心部に照明部３０を構成するＬＥＤ３３が柱部３１を介して直接配設されているため、従来のように、照明強度を高めるために、光源となるＬＥＤを複数個配置したり、導光板を用いたりする必要がない。このため、単一のＬＥＤ３３からなる最小構成の照明部３０によって、指針部２４全体を効率よく且つ回転方向に対して均等に照明することができる。
【図面の簡単な説明】
【００２３】
【図１】本発明に係る照光式アナログ時計の断面図である。
【図２】上記照光式アナログ時計の照明部の要部断面図である。
【図３】上記照光式アナログ時計の平面図である。
【図４】フレキシブル基板を用いて構成された照明部の要部断面図である。
【図５】砲弾型のＬＥＤを用いて構成された照明部の要部断面図である。
【図６】従来の照光式アナログ時計の断面図である。
【符号の説明】
【００２４】
２１  照光式アナログ時計
２２  時計ユニット
２３  文字盤
２４  指針部
２５  分針
２５ａ  基端部
２６  時針
２６ｂ  基端部
２７  光屈折部
３０  照明部
３１  柱部
３３  ＬＥＤ（発光ダイオード）
３４  封止体
３９  マザーボード
【図１】
2006300787.tif 000003
【図２】
2006300787.tif 000004
【図３】
2006300787.tif 000005
【図４】
2006300787.tif 000006
【図５】
2006300787.tif 000007
【図６】
2006300787.tif 000008